(57)【要約】【課題】大バキュームパッド内に複数の小バキュームパッドを備えたバキュームパッド装置及び吸着搬送方法を提供する。【解決手段】被吸着物を吸着自在なバキュームパッド装置であって、当該バキュームパッド装置１における大バキュームパッド７の吸着領域９内に、吸着領域１１が小さな小バキュームパッド１３を複数備えている。そして、上記バキュームパッド装置を用いての被吸着物ＷＰの吸着搬送方法であって、前記被吸着物ＷＰに備えた小径穴ＳＨに対応した位置に小バキュームパッド１３を位置決めして前記小径穴ＳＨを閉じた状態に保持し、大バキュームパッド７及び前記小バキュームパッド１３以外の他の小バキュームパッド１３によって前記被吸着物ＷＰを吸着し搬送する。【選択図】図１
2014083622.tif 000002
【特許請求の範囲】
【請求項１】
被吸着物を吸着自在なバキュームパッド装置であって、当該バキュームパッド装置における大バキュームパッドの吸着領域内に、吸着領域が小さな小バキュームパッドを複数備えていることを特徴とするバキュームパッド装置。
【請求項２】
請求項１に記載のバキュームパッド装置を用いての被吸着物の吸着搬送方法であって、前記被吸着物に備えた小径穴に対応した位置に小バキュームパッドを位置決めして前記小径穴を閉じた状態に保持し、大バキュームパッド及び前記小バキュームパッド以外の他の小バキュームパッドによって前記被吸着物を吸着し搬送することを特徴とする吸着搬送方法。
【発明の詳細な説明】
【技術分野】
【０００１】
本発明は、板状のワーク、製品などの被吸着物を吸着自在なバキュームパッド装置及び当該バキュームパッド装置を用いての被吸着物の吸着搬送方法に係り、さらに詳細には、例えばタレットパンチプレスなどのごとき板材加工機によって大きな板状のワークから切断分離された大小の加工品や、穴を打抜き加工されている加工品等の被吸着物を確実に吸着することのできるバキュームパッド装置及びその吸着搬送方法に関する。
【背景技術】
【０００２】
従来、例えばパンチプレスやレーザ加工機などの板材加工機によって大きな板状のワークから加工品を切断分離し、この切断分離された加工品を板材加工機から次工程へ搬出する場合、複数のバキュームパッドを備えた搬送装置によって行われている（例えば特許文献１参照）。そして、加工品に加工された貫通穴に対応したバキュームパッドの吸着を中止し、他のバキュームパッドによって加工品を吸着することも行われている。
【先行技術文献】
【特許文献】
【０００３】
【特許文献１】特開２００１−１０５０６４号公報
【発明の概要】
【発明が解決しようとする課題】
【０００４】
前記特許文献１に記載のごとく、Ｘ、Ｙ軸方向へ移動自在な支持板に複数のバキュームパッドを備えた構成において、板材加工機によって加工された加工品を次工程へ吸着搬送するとき、適数のバキュームパッドが加工品に加工された貫通穴の位置に対応する場合には、ときとして加工品に対するバキュームパッドの吸着位置を変更する必要があり、能率向上を図る上において問題がある。
【０００５】
また、種々の形状寸法の加工品に対応すべく、前記支持板に大径のバキュームパッド及び小径のバキュームパッドをそれぞれ複数備えた構成においては、小さな加工品及び大きな加工品に対応して吸着して搬送することができる。しかし、大径、小径のバキュームパッドの配置関係によっては、前記支持板の先端又は側端からの加工品の突出長が大きくなると、加工品の突出部分に作用するモーメントによって、端部付近の吸着パッドの吸着が難しくなることがある。また、大径のバキュームパッドの一部が加工品の貫通穴に重なると、当該バキュームパッドの全面積に該当する部分で加工品を吸着することができず、吸着能力が低下する、という問題がある。
【課題を解決するための手段】
【０００６】
本発明は、前述のごとき問題に鑑みてなされたもので、被吸着物を吸着自在なバキュームパッド装置であって、当該バキュームパッド装置における大バキュームパッドの吸着領域内に、吸着領域が小さな小バキュームパッドを複数備えていることを特徴とするものである。
【０００７】
また、前記バキュームパッド装置を用いての被吸着物の吸着搬送方法であって、前記被吸着物に備えた小径穴に対応した位置に小バキュームパッドを位置決めして前記小径穴を閉じた状態に保持し、大バキュームパッド及び前記小バキュームパッド以外の他の小バキュームパッドによって前記被吸着物を吸着し搬送することを特徴とするものである。
【発明の効果】
【０００８】
本発明によれば、大きなバキュームパッドにおける吸着領域内に、小さなバキュームパッドを複数備えているので、加工品の大小に容易に対応することができるものである。そして、大きなバキュームパッドの吸着領域内に貫通穴が存在するとき、当該貫通穴を小さなバキュームパッドによって閉じた状態に保持でき、大きなバキュームパッドの一部が貫通穴に重なる場合であっても、当該大きなバキュームパッドでもって加工品を吸着することができるものである。
【図面の簡単な説明】
【０００９】
【図１】本発明の実施形態に係るバキュームパッド装置の構成を示す説明図である。
【図２】外形形状の異なる大バキュームパッドを支持板に複数備えた場合の例示を示す説明図である。
【図３】バキュームパッド装置によってワークピースを吸着する場合の各種形態の説明図である。
【発明を実施するための形態】
【００１０】
図１を参照するに、本発明の実施形態に係るバキュームパッド装置１は、例えばパンチプレスやレーザ加工機などの板材加工機によって加工された加工品などの被吸着物（ワークピース）ＷＰを吸着するもので、ゴムや樹脂などのごとき適宜の弾性部材から構成したパッド本体３を備えている。このパッド本体３における一側面の周縁部には、弾性変形可能な環状のフレア部材５が一体に備えられている。このフレア部材５によって囲繞された領域が大バキュームパッド７における吸着領域９である。
【００１１】
そして、前記パッド本体３の一側面であって前記フレア部材５によって囲繞された前記吸着領域９内には、吸着領域１１が小さな複数の小バキュームパッド１３が備えられている。前記大バキュームパッド７における吸着領域９には、前記パッド本体３に形成した吸引孔１５が連通してあり、前記各小バキュームパッド１３には、前記パッド本体３に形成した各吸引孔１７が連通してある。そして、前記各吸引孔１５，１７はそれぞれ接続管（図示省略）を介して真空ポンプやエジェクタポンプなどの負圧発生手段（図示省略）に接続してあり、かつ前記各接続管には、例えばソレノイドバルブなどのごとき開閉弁（図示省略）が備えられている。すなわち前記大バキュームパッド７及び各小バキュームパッド１３は、ワークピース（被吸着物）ＷＰに対して個別に吸着作用及び吸着解除作用を行うことのできる構成である。
【００１２】
ところで、前記大バキュームパッド７の吸着領域９の形状は、図１に示した円形状に限ることなく、長方形や正多角形などの適宜の形状に構成することができる。そして、前記バキュームパッド装置１は、図２に示すように、搬送装置（図示省略）における支持板１７に複数配置して使用されるものである。換言すれば、搬送装置は、従来の搬送装置と同様に、Ｘ、Ｙ軸方向へ移動自在な支持板１７に、前記バキュームパッド装置１を複数備えた構成である。
【００１３】
前記搬送装置によってワークピースＷＰを吸着して搬送（移送）しようとするとき、図３に示すように、バキュームパッド装置１Ａの一部がワークピースＷＰに加工した大きな穴ＬＨに重なると、当該バキュームパッド装置１Ａにおける大バキュームパッド７及び小バキュームパッド１３Ａによる吸着作用は無効になる。しかし、前記バキュームパッド装置１Ａにおける他の小バキュームパッド１３Ｂによる吸着は有効であり、この有効な小バキュームパッド１３によってワークピースＷＰを吸着することになる。
【００１４】
そして、図３に示すバキュームパッド装置１Ｂにおいては、ワークピースＷＰに加工した小さな穴ＳＨに、当該バキュームパッド装置１Ｂにおける小バキュームパッド１３Ａを重ねて、前記小穴ＳＨを閉じた状態に保持してある。したがって、バキュームパッド装置１Ｂにおいては、前記小バキュームパッド１３Ａによる吸着作用は無効になる。しかし、大バキュームパッド７及びその他の小バキュームパッド１３Ｂによる吸着作用は有効であり、ワークピースＷＰを吸着することができるものである。
【００１５】
図３に示すバキュームパッド装置１Ｃにおいては、ワークピースＷＰに一部が重なる穴が存在しないので、バキュームパッド装置１Ｃにおいては、大バキュームパッド７及び全ての小バキュームパッド１３による吸着作用は有効である。したがって、バキュームパッド装置１Ｃにおいては全面的に吸着作用を生じさせることができるものである。
【００１６】
図３に示すバキュームパッド装置１Ｄにおいては、大バキュームパッド７の一部は小穴ＳＨの一部に重なっており、大バキュームパッド７の吸着作用は無効になる。しかし、バキュームパッド装置１Ｄにおける全ての小バキュームパッド１３による吸着作用は有効である。したがって、大バキュームパッド７の吸着作用が無効になった場合であっても、ワークピースＷＰの吸着を行うことができるものである。
【００１７】
以上のごとき説明より理解されるように、大バキュームパッド７の吸着領域９内に小バキュームパッド１３を複数備えた構成であるから、大バキュームパッド７の一部が穴などの一部と重なることによって吸着作用が無効になった場合であっても、大バキュームパッド７内の複数の小バキュームパッド１３の吸着作用が有効になってワークピースＷＰを吸着することができる。したがって、大バキュームパッド７における吸着領域９の全面が吸着無効となることを抑制することができ、前述したごとき問題を解消し得るものである。
【００１８】
なお、本発明は、前述したごとき実施形態のみに限るものではなく、適宜の変更を行うことにより、その他の形態でもって実施可能なものである。すなわち、前記説明においては、大バキュームパッド７における大きな吸着領域９内に複数の小バキュームパッド１３を備えた場合について説明した。しかし、大バキュームパッド７の吸着領域９内に、大きさが中の中バキュームパッドを備え、吸着領域を複重に構成する。そして、中バキュームパッドにおける吸着領域内に複数の小バキュームパッドを複数備えた構成とすることも可能である。また、複重に構成したそれぞれの吸着領域に、小バキュームパッドをそれぞれ複数備えた構成とすることも可能なものである。
【００１９】
上記構成とすることにより、大バキュームパッド７における大きな吸着領域９の内側周縁部付近の吸着作用が吸着無効になった場合であっても、その内側の中バキュームパッドの吸着領域や複数の小バキュームパッドの吸着領域の吸着作用を有効にすることができる。すなわち、吸着無効になる吸着領域の面積をより小さくすることができるものである。換言すれば、吸着作用が有効になる吸着領域の面積をより大きくすることができるものである。
【符号の説明】
【００２０】
１    バキュームパッド装置
３    パッド本体
５    フレア部材
７    大バキュームパッド
９，１１    吸着領域
１３    小バキュームパッド
１５    吸引孔
【図１】
2014083622.tif 000003
【図２】
2014083622.tif 000004
【図３】
2014083622.tif 000005